【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
成分
ａ）有機ポリマー、但し該有機ポリマーが塩化ビニルポリマー又は塩化ビニルコポリマーと異なる、
ｂ）下記式（Ｉ）ないし（ＸＩＩ）で表される化合物、及び
ｃ）更なる難燃剤
を含む有機ポリマー組成物
【化１】
2009536975.tif 000001
【化２】
2009536975.tif 000002
【化３】
2009536975.tif 000003
（式中、
ｎは、１又は２を表し、
Ｘは、Ｏ、Ｓ又はＮＨを表し、
Ｚ−は、無機酸のアニオンを表し、
Ｒ１及びＲ２は、互いに独立して、Ｈ、グリシジル基、ＣＯＯ−Ｒ８、ＯＣＯ−Ｒ９、ＣＯ−Ｒ９、ＣＯ−ＮＲ８Ｒ１０を表すか又は炭素原子数１ないし１８のアルキル基、炭素原子数３ないし１８のアルケニル基、炭素原子数３ないし６のアルキニル基、炭素原子数５ないし８のシクロアルキル基、炭素原子数５ないし８のシクロアルケニル基、炭素原子数６ないし１２のアリール基、炭素原子数７ないし１４のアラルキル基、炭素原子数８ないし１２のアラルケニル基、炭素原子数８ないし１２のアラルキニル基、炭素原子数１ないし１８のアルコキシ基、炭素原子数３ないし１８のアルケニルオキシ基、炭素原子数３ないし６のアルキニルオキシ基、炭素原子数６ないし１２のアリールオキシ基及び炭素原子数７ないし１４のアラルコキシ基からなる群から選ばれた未置換の又は置換された基を表し、
Ｒ３及びＲ５は、互いに独立して、Ｒ１に定義された通りであり、
ＮＲ３Ｒ５及びＲ４は、更に一緒になって、式（ＸＩＩＩａ）ないし式（ＸＩＩＩｅ）で表
される環付加した（ａｎｅｌｌａｔｅｄ）５員環系の一部であり得、
【化４】
2009536975.tif 000004
ｎが１を表す場合、
Ｒ４は、ハロゲン原子、ＮＯ、ＣＮ、ＮＲ３Ｒ５、ＮＨＲ３Ｒ５＋Ｚ−、フラノニル基を表し、
又はＲ１に定義された通りであり、
ｎが２を表す場合、
Ｒ４は、炭素原子数１ないし１８のアルキレン基及び炭素原子数７ないし１４のアラルキレン基からなる群から選ばれる未置換の又は置換された二価基を表し、
Ｒ６は、Ｒ１に定義された通りであり、
Ｒ７は、Ｒ２に定義された通りであり、
Ｒ８及びＲ１０は、互いに独立してＨを表し、又はＲ９に定義された通りであり、
Ｒ９は、炭素原子数１ないし１８のアルキル基、炭素原子数３ないし１８のアルケニル基、炭素原子数３ないし６のアルキニル基、炭素原子数５ないし８のシクロアルキル基、炭素原子数５ないし８のシクロアルケニル基、炭素原子数６ないいし１２のアリール基、炭素原子数７ないし１４のアラルキル基、炭素原子数８ないし１２のアラルケニル基及び炭素原子数８ないし１２のアラルキニル基からなる群から選ばれる未置換の又は置換された基を表し、
前記置換されたアルキレン基、アラルキレン基、アルキル基、アルケニル基、アルキニル基、シクロアルキル基、シクロアルケニル基、アリール基、アラルキル基、アラルケニル基、アラルキニル基、アルコキシ基、アルケニルオキシ基、アルキニルオキシ基、アリールオキシ基及びアラルコキシ基は、ハロゲン原子、ヒドロキシ基、ニトロ基、シアノ基、ＣＯＯ−Ｒ１３、ＣＯＮＲ１３Ｒ１４、ＯＣＯ−Ｒ１５、  ＮＲ１３ＣＯ−Ｒ１５、ＮＲ１３Ｒ１４、ＣＯ−Ｒ１５及びＯ−Ｒ１５からなる群から選ばれる１つ以上の基によって置換され、
又は前記置換されたアラルキレン基、アリール基、アラルキル基、アラルケニル基、アラルキニル基、アリールオキシ基及びアラルコキシ基は、炭素原子数１ないし１８のアルキル基、炭素原子数３ないし１８のアルケニル基及び炭素原子数３ないし６のアルキニル基からなる群から選ばれる１つ以上の基によってアリール基において置換され、
Ｒ１１’はＨ、炭素原子数１ないし１８のアルキル基、炭素原子数３ないし１８のアルケニル基、炭素原子数３ないし６のアルキニル基、炭素原子数５ないし８のシクロアルキル基、炭素原子数５ないし８のシクロアルケニル基、炭素原子数６ないし１２のアリール基、炭素原子数７ないし１４のアラルキル基、炭素原子数８ないし１２のアラルケニル基、炭素原子数８ないし１２のアラルキニル基、ＣＯＯ−Ｒ１３、ＣＯＮＲ１３Ｒ１４、ＯＣＯ−Ｒ１５、ＮＲ１３ＣＯ−Ｒ１５、ＮＲ１３Ｒ１４又はＣＯ−Ｒ１５を表し、
Ｒ１１及びＲ１２は、互いに独立して、又はＯ−Ｒ１５を表し又はＲ１１’に定義された通りであり、
Ｒ１３及びＲ１４は、互いに独立して、Ｈを表し又はＲ１５に定義された通りであり，
Ｒ１５は、炭素原子数１ないし１８のアルキル基、炭素原子数３ないし１８のアルケニル基、炭素原子数３ないし６のアルキニル基、炭素原子数５ないし８のシクロアルキル基、炭素原子数５ないし８のシクロアルケニル基、炭素原子数６ないし１２のアリール基、炭素原子数７ないし１４のアラルキル基、炭素原子数８ないし１２のアラルケニル基又は炭素原子数８ないし１２のアラルキニル基を表す）。
【請求項２】
前記成分ｂ）が、６−アミノウラシル、５−アミノウラシル、６−アミノ−１，３−ジメチルウラシル又は６−アミノウラシルのリン酸塩である、請求項１記載の有機ポリマー組成物。
【請求項３】
前記更なる難燃剤が、メラミン又は尿素をベースとした難燃剤、立体障害性アルコキシアミン化合物、ジクミル化合物、ジヒドロオキサホスホフェナントレンオキサイド、有機リン酸エステル、有機ホスフィン酸の塩、有機ジホスフィン酸の塩及びホスフィン酸もしくはジホスフィン酸の塩からなる群から選ばれる、請求項１記載の有機ポリマー組成物。
【請求項４】
付加的に酸化防止剤、ＵＶ吸収剤、光安定剤、金属奪活剤、ホスフィット、ホスホナイト、ヒドロキシルアミン、ニトロン、チオ相乗剤化合物、過酸化物捕捉化合物、ポリアミド安定剤、塩基性補助安定剤、核剤、充填材、強化剤、可塑剤、滑剤、乳化剤、顔料、レオロジー添加剤、触媒、流動性向上剤、蛍光増白剤、静電防止剤、発泡剤、ベンゾフラノン及びインドリノンからなる群から選択される少なくとも１種の更なる添加剤を含む、請求項１記載の有機ポリマー組成物。
【請求項５】
前記有機ポリマーが、それぞれ所望により強化剤を含有する、ポリアミド、ポリエステル又はポリカーボネートである、請求項１記載の有機ポリマー組成物。
【請求項６】
下記式（Ｉ）ないし（ＸＩＩ）で表される化合物を塗布又は混和することによって有機ポリマーを難燃加工するための方法
【化５】
2009536975.tif 000005
【化６】
2009536975.tif 000006
【化７】
2009536975.tif 000007
（式中、
ｎは、１又は２を表し、
Ｘは、Ｏ、Ｓ又はＮＨを表し、
Ｚ−は、無機酸のアニオンを表し、
Ｒ１及びＲ２は、互いに独立して、Ｈ、グリシジル基、ＣＯＯ−Ｒ８、ＯＣＯ−Ｒ９、ＣＯ−Ｒ９、ＣＯ−ＮＲ８Ｒ１０を表すか又は炭素原子数１ないし１８のアルキル基、炭素原子数３ないし１８のアルケニル基、炭素原子数３ないし６のアルキニル基、炭素原子数５ないし８のシクロアルキル基、炭素原子数５ないし８のシクロアルケニル基、炭素原子数６ないし１２のアリール基、炭素原子数７ないし１４のアラルキル基、炭素原子数８ないし１２のアラルケニル基、炭素原子数８ないし１２のアラルキニル基、炭素原子数１ないし１８のアルコキシ基、炭素原子数３ないし１８のアルケニルオキシ基、炭素原子数３ないし６のアルキニルオキシ基、炭素原子数６ないし１２のアリールオキシ基及び炭素原子数７ないし１４のアラルコキシ基からなる群から選ばれた未置換の又は置換された基を表し、
Ｒ３及びＲ５は、互いに独立して、Ｒ１に定義された通りであり、
ＮＲ３Ｒ５及びＲ４は、更に一緒になって、式（ＸＩＩＩａ）ないし式（ＸＩＩＩｅ）で表される環付加した（ａｎｅｌｌａｔｅｄ）５員環系の一部であり得、
【化８】
2009536975.tif 000008
ｎが１を表す場合、
Ｒ４は、ハロゲン原子、ＮＯ、ＣＮ、ＮＲ３Ｒ５、ＮＨＲ３Ｒ５＋Ｚ−、フラノニル基を表し、又はＲ１に定義された通りであり、
ｎが２を表す場合、
Ｒ４は、炭素原子数１ないし１８のアルキレン基及び炭素原子数７ないし１４のアラルキレン基からなる群から選ばれる未置換の又は置換された二価基を表し、
Ｒ６は、Ｒ１に定義された通りであり、
Ｒ７は、Ｒ２に定義された通りであり、
Ｒ８及びＲ１０は、互いに独立してＨを表し、又はＲ９に定義された通りであり、
Ｒ９は、炭素原子数１ないし１８のアルキル基、炭素原子数３ないし１８のアルケニル基、炭素原子数３ないし６のアルキニル基、炭素原子数５ないし８のシクロアルキル基、炭素原子数５ないし８のシクロアルケニル基、炭素原子数６ないいし１２のアリール基、炭素原子数７ないし１４のアラルキル基、炭素原子数８ないし１２のアラルケニル基及び炭素原子数８ないし１２のアラルキニル基からなる群から選ばれる未置換の又は置換された基を表し、
前記置換されたアルキレン基、アラルキレン基、アルキル基、アルケニル基、アルキニル基、シクロアルキル基、シクロアルケニル基、アリール基、アラルキル基、アラルケニル基、アラルキニル基、アルコキシ基、アルケニルオキシ基、アルキニルオキシ基、アリールオキシ基及びアラルコキシ基は、ハロゲン原子、ヒドロキシ基、ニトロ基、シアノ基、ＣＯＯ−Ｒ１３、ＣＯＮＲ１３Ｒ１４、ＯＣＯ−Ｒ１５、  ＮＲ１３ＣＯ−Ｒ１５、ＮＲ１３Ｒ１４、ＣＯ−Ｒ１５及びＯ−Ｒ１５からなる群から選ばれる１つ以上の基によって置換され、
又は前記置換されたアラルキレン基、アリール基、アラルキル基、アラルケニル基、アラルキニル基、アリールオキシ基及びアラルコキシ基は、炭素原子数１ないし１８のアルキル基、炭素原子数３ないし１８のアルケニル基及び炭素原子数３ないし６のアルキニル基からなる群から選ばれる１つ以上の基によってアリール基において置換され、
Ｒ１１’はＨ、炭素原子数１ないし１８のアルキル基、炭素原子数３ないし１８のアルケニル基、炭素原子数３ないし６のアルキニル基、炭素原子数５ないし８のシクロアルキル基、炭素原子数５ないし８のシクロアルケニル基、炭素原子数６ないし１２のアリール基、炭素原子数７ないし１４のアラルキル基、炭素原子数８ないし１２のアラルケニル基、炭素原子数８ないし１２のアラルキニル基、ＣＯＯ−Ｒ１３、ＣＯＮＲ１３Ｒ１４、ＯＣＯ−Ｒ１５、ＮＲ１３ＣＯ−Ｒ１５、ＮＲ１３Ｒ１４又はＣＯ−Ｒ１５を表し、
Ｒ１１及びＲ１２は、互いに独立して、又はＯ−Ｒ１５を表し又はＲ１１’に定義された通りであり、
Ｒ１３及びＲ１４は、互いに独立して、Ｈを表し又はＲ１５に定義された通りであり，
Ｒ１５は、炭素原子数１ないし１８のアルキル基、炭素原子数３ないし１８のアルケニル
基、炭素原子数３ないし６のアルキニル基、炭素原子数５ないし８のシクロアルキル基、炭素原子数５ないし８のシクロアルケニル基、炭素原子数６ないし１２のアリール基、炭素原子数７ないし１４のアラルキル基、炭素原子数８ないし１２のアラルケニル基又は炭素原子数８ないし１２のアラルキニル基を表す）。
【請求項７】
式（Ｉ）で表される化合物を塗布又は混和することによって有機ポリマーを難燃加工するための方法であって、前記式中、
ｎは１を表し、
ＸはＯを表し、
Ｒ1及びＲ2は、互いに独立して、Ｈ又は炭素原子数１ないし６のアルキル基を表し、及びＲ3、Ｒ4及びＲ5はＨを表す、請求項６記載の方法。
【請求項８】
少なくとも１種の更なる難燃剤と組み合わせて、前記式（Ｉ）ないし（ＸＩＩ）で表される化合物を塗布又は混和することによって有機ポリマーを難燃加工するための、請求項６記載の方法。
【請求項９】
メラミン又は尿素をベースとした難燃剤、立体障害性アルコキシアミン化合物、ジクミル化合物、ジヒドロオキサホスホフェナントレンオキサイド、有機リン酸エステル、有機ホスフィン酸の塩、有機ジホスフィン酸の塩及びホスフィン酸もしくはジホスフィン酸の塩からなる群から選択される少なくとも１種の更なる難燃剤と組み合わせて、前記式（Ｉ）ないし（ＸＩＩ）で表される化合物を塗布又は混和することによって有機ポリマーを難燃加工するための、請求項６記載の方法。
【請求項１０】
酸化防止剤、ＵＶ吸収剤、光安定剤、金属奪活剤、ホスフィット、ホスホナイト、ヒドロキシルアミン、ニトロン、チオ相乗剤化合物、過酸化物捕捉化合物、ポリアミド安定剤、塩基性補助安定剤、核剤、充填材、強化剤、可塑剤、滑剤、乳化剤、顔料、レオロジー添加剤、触媒、流動性向上剤、蛍光増白剤、静電防止剤、発泡剤、ベンゾフラノン及びインドリノンからなる群から選択される少なくとも１種の更なる添加剤と組み合わせて、前記式（Ｉ）ないし（ＸＩＩ）で表される化合物を塗布又は混和することによって有機ポリマーを難燃加工するための、請求項６記載の方法。